(57)【要約】【課題】組立て、分解が短時間で作業が可能であり、汎用性を有し、しかも強度の大きな組立ハウスを提供すること。【解決手段】組立ハウスは、ベース２と、主柱４と、中間支柱５と、壁部材３ｃと、屋根６とを備え、主柱４の壁３ｃと向かい合う側面には、上下方向に延びるほぞ孔が形成され、壁３ｃの左右側面には、主柱４のほぞ孔に嵌合するほぞが形成されている。主柱４及び中間支柱５の下端部には、ベース取付ボルト１７が設けられ、主柱４及び中間支柱５の上端部には屋根６を取付ける屋根取付ボルト１６が設けられ、主柱４及び中間支柱５は、ベース取付ボルト１７及び屋根取付ボルト１６をナットによってベース２と屋根６に組み付けるようにした。【選択図】図３
2015101896.tif 000002
【特許請求の範囲】
【請求項１】
フロアを形成するベースと、
該ベースの各角部に立設される主柱と、
前記主柱の間に配設される壁部材と、
前記主柱の上端部に固定される屋根とを備え、
前記主柱の前記壁部材と向かい合う側面には、上下方向に延びるほぞ孔が形成され、
前記壁部材の左右側面には、前記主柱のほぞ孔に嵌合するほぞが形成され、
前記主柱のほぞ孔と前記壁部材のほぞとを嵌め合わせ前記主柱に前記壁部材を組み込み可能に形成し、
前記主柱の下端部には、前記ベースに形成された取付孔を貫通可能な下方に延びるベース取付ボルトがボルト軸を前記主柱の長手方向に向けて設けられ、
前記主柱の上端部には前記屋根に形成された取付孔を貫通可能な上方へ延びる屋根取付ボルトがボルト軸を前記主柱の長手方向に向けて設けられ、
前記主柱は、前記ベース取付ボルト及び前記屋根取付ボルトのボルト軸を前記取付孔に貫通させた状態で、ナットによって前記ベースと前記屋根に組み付けるようにしたことを特徴とする組立ハウス。
【請求項２】
１つ以上の前記壁部は、水平方向に回転軸が設けられた開閉窓を有する上壁部と、該開閉窓の下部に配設され、同じく水平方向に回転軸が設けられ、開時には水平方向に支持される開閉テーブルを有する下壁部とによって形成され、
前記開閉窓と前記開閉テーブルの閉時において、前記主柱の前記開閉窓と前記開閉テーブルとの高さ位置には、前記ほぞ孔の非形成領域が設けられ、該非形成領域が前記開閉窓と前記開閉テーブルの側部の収容領域となるよう長溝形状に形成されている請求項１に記載の組立ハウス。
【請求項３】
隣合う前記主柱の間には、中間支柱が設けられ、該中間支柱の下端部には、前記ベースに形成された取付孔を貫通可能な下方に延びるベース取付ボルトがボルト軸を前記中間支柱の長手方向に向けて設けられ、前記中間支柱の上端部には前記屋根に形成された取付孔を貫通可能な上方へ延びる屋根取付ボルトがボルト軸を前記中間支柱の長手方向に向けて設けられ、前記中間支柱は、前記ベース取付ボルト及び前記屋根取付ボルトのボルト軸を前記取付孔に貫通させた状態で、ナットによって前記ベースと前記屋根に組み付けるようにし、
前記中間支柱の壁部材と向かい合う側面にはほぞ孔が形成され、
前記中間部材のほぞ孔と前記壁部材のほぞとを嵌め合わせ、前記主柱と前記中間部材との間に前記壁部材を組み込み可能に形成した請求項１又は２に記載の組立ハウス。
【請求項４】
前記ベース取付ボルト及び屋根取付ボルトは、脱着可能な取付板と、該取付板から立設し適宜長さの異なるボルト軸からなり、前記主柱及び中間支柱は前記ベース取付ボルト及び屋根取付ボルトを交換することによって、ボルト軸の長さを変更できるようにした請求項３に記載の組立ハウス。
【請求項５】
全ての前記壁部の左右方向の横幅が全て同じである請求項１〜４のいずれかに記載の組立ハウス。
【請求項６】
前記開閉窓と前記開閉テーブルとが閉じた状態で、前記開閉テーブルの開閉端が下側に位置し、前記開閉テーブルの開閉端が上側に位置し、前記開閉窓の端部と前記開閉テーブルの端部とが当接して配設されている請求項２〜５のいずれかに記載の組立ハウス。
【請求項７】
前記支柱又は前記中間支柱のほぞ孔に変えてほぞを形成し、前記壁部材のほぞに変えてほぞ孔を形成するようにしたことを特徴とする請求項３〜６のいずれかに記載の組立ハウス。
【発明の詳細な説明】
【技術分野】
【０００１】
本発明は、簡易迅速に組立、分解が可能であり、分解後の構成部材の運搬なども容易な組立ハウスに関する。
【背景技術】
【０００２】
組立ハウス、組立店舗、組立バンガロ、組立ログハウスなどは、簡易迅速に建物を構築できるように種々の工夫がなされている。
例えば、特許文献１に示すログハウスは、基礎部材の四隅に柱部材が縦方向に立設されて、柱部材の側面には、縦方向に延在する凹溝が形成されている。そして、ログハウスの壁部材を構成する横長の板状木材で形成された壁部材が、上下に嵌合結合するようにして複数段に積層して形成される。
柱部材の凹溝は、壁部材の厚さに形成され、壁部材は柱部材の間に縦（上下）方向にスライドさせて壁部材の端部を嵌入するようにして、壁部材を柱部材間に容易に組み込むことができる。
【先行技術文献】
【特許文献】
【０００３】
【特許文献１】特開２０１２−２４６７４３号公報
【発明の概要】
【発明が解決しようとする課題】
【０００４】
特許文献１のログハウスは、ログハウスを組立てた後、それが完成された状態で、クレーンなどで釣り上げ、運搬車両による目的地への運搬、据え付け、設置を迅速に行うことができる。
しかしながら、特許文献１のログハウスは、そのまま組み立てられた状態で移動させるものであり、クレーンなどで釣り上げられるよう補強手段がなされ、容易には組み立てられるものの、まだ解決すべき問題がある。
また、ログハウスは、店舗、監視所、仮事務所などの多用途の目的で使用することは可能であるが、使用目的に対して使い勝手を良くするものではない。
本発明はこのような事情に鑑みてなされたものであって、組立て、分解のための作業が短時間で可能であり、汎用性を有し、しかも強度の大きな組立ハウスを提供することを目的とする。
【課題を解決するための手段】
【０００５】
上記目的を達成するために、本発明の組立ハウスは、フロアを形成するベースと、該ベースの各角部に立設される主柱と、前記主柱の間に配設される壁部材と、前記主柱の上端部に固定される屋根とを備え、前記主柱の前記壁部材と向かい合う側面には、上下方向に延びるほぞ孔が形成され、前記壁部材の左右側面には、前記主柱のほぞ孔に嵌合するほぞが形成され、前記主柱のほぞ孔と前記壁部材のほぞとを嵌め合わせ前記主柱に前記壁部材を組み込み可能に形成し、前記主柱の下端部には、前記ベースに形成された取付孔を貫通可能な下方に延びるベース取付ボルトがボルト軸を前記主柱の長手方向に向けて設けられ、
前記主柱の上端部には前記屋根に形成された取付孔を貫通可能な上方へ延びる屋根取付ボルトがボルト軸を前記主柱の長手方向に向けて設けられ、前記主柱は、前記ベース取付ボルト及び前記屋根取付ボルトのボルト軸を前記取付孔に貫通させた状態で、ナットによって前記ベースと前記屋根に組み付けるようにした。
上記組立ハウスの１つ以上の前記壁部は、水平方向に回転軸が設けられた開閉窓を有する上壁部と、該開閉窓の下部に配設され、同じく水平方向に回転軸が設けられ、開時には水平方向に支持される開閉テーブルを有する下壁部とによって形成され、前記開閉窓と前記開閉テーブルの閉時において、前記支柱の前記開閉窓と前記開閉テーブルとの高さ位置には、前記支柱にほぞ孔の非形成領域が設けられ、該非形成領域が前記開閉窓と前記開閉テーブルの側部の収容領域となっていることが好ましい。
上記組立ハウスの隣合う前記主柱の間には、中間支柱が設けられ、該中間支柱の下端部には、前記ベースに形成された取付孔を貫通可能な下方に延びるベース取付ボルトがボルト軸を前記中間支柱の長手方向に向けて設けられ、前記中間支柱の上端部には前記屋根に形成された取付孔を貫通可能な上方へ延びる屋根取付ボルトがボルト軸を前記中間支柱の長手方向に向けて設けられ、前記中間支柱は、前記ベース取付ボルト及び前記屋根取付ボルトのボルト軸を前記取付孔に貫通させた状態で、ナットによって前記ベースと前記屋根に組み付けるようにし、前記中間支柱の壁部材と向かい合う側面にはほぞ孔が形成され、前記中間部材のほぞ孔と前記壁部材のほぞとを嵌め合わせ、前記主柱と前記中間部材との間に前記壁部材を組み込み可能に形成することができる。
上記組立ハウスの前記ベース取付ボルト及び屋根取付ボルトは、脱着可能な取付板と該取付板から立設し、適宜長さの異なるボルト軸からなり、前記主柱及び中間支柱は前記ベース取付ボルト及び屋根取付ボルトを交換することによって、ボルト軸の長さを変更できる。
上記組立ハウスの前記ベースは前記主柱が取付けられる角部の室内側及び前記中間支柱の取付部の室内側に、前記ボルトに前記ナットを締結させるための開口が形成され、前記ベースに載置される床部材は前記支柱及び中間支柱の立設後に載置可能であることが好ましい。
上記組立ハウスは、全ての前記壁部の左右方向の横幅が全て同じであることが好ましい。
上記組立ハウスは、前記開閉窓と前記開閉テーブルとが閉じた状態で、前記開閉テーブルの開閉端が下側に位置し、前記開閉テーブルの開閉端が上側に位置し、前記開閉窓の端部と前記開閉テーブルの端部とが当接して配設されていることが好ましい。
上記組立ハウスは、前記支柱又は前記中間支柱のほぞ孔に変えてほぞを形成し、前記壁部材のほぞに変えてほぞ孔を形成することができる。
【発明の効果】
【０００６】
本発明の組立ハウスによれば、汎用性を有し、店舗、監視所、仮事務所などの多用途の目的で使用することができ、使い勝手を良くし、組立て、分解が短時間で作業が可能であり、しかも強度の大きな組立ハウスを提供することができる。
【図面の簡単な説明】
【０００７】
【図１】本発明の第１の実施形態による組立ハウスの斜視図である。
【図２】図１の組立ハウスの一部破断斜視図である。
【図３】図１の組立ハウスの一部破断の分解斜視図である。
【図４】図１に示す組立ハウスのベースの一部破断平面図（上）と正面図（下）である。
【図５】図１に示す組立ハウスのベースのフレームの正面図（上左）と側面図（上右）と正面図（下）である。
【図６】図１のベースの外枠の補強構造を示しＡは正面方向から見た断面図、Ｂは平面図、Ｃは三角板の平面図である。
【図７】図１の主柱を説明するための図であり、右側は組立ハウスに主柱が取付られていない状態の側面図、左は主柱が取付られている状態の側面図である。
【図８】図１の中間支柱が組立ハウスに取付られていない状態の正面図である。
【図９】Ａは主柱と壁部材の取付状態を示す平面図、Ｂは中間支柱と壁部材の取付状態を示す平面図である。
【図１０】主柱の上下ボルトの取付状態を示し、Ａは上ボルトの側面図、Ｂは上ボルトの平面図、Ｃは下ボルトが主柱に取付られている状態の側面図、Ｄは下ボルトの断面図、Ｅは下ボルトの底面図である。
【図１１】図１の組立ハウスに用いられている板壁の正面図（組立ハウスでは側面図）、図面下側は板壁の底面図である。
【図１２】図１の組立ハウスに用いられているドア付壁と窓付壁の正面図である。
【図１３】図１の組立ハウスに用いられている換気孔付壁の正面図（組立ハウスでは側面図）である。
【図１４】Ａ及びＢは、ドア付壁の形成方法を示す正面図、Ｃ〜Ｅはドア付壁の変形例を示す正面図である。
【図１５】図１の組立ハウスの屋根の部分破断平面図である。
【図１６】図１の組立ハウスの屋根であり、Ａは正面方向から見た断面図、Ｂは側面方向から見た断面図である。
【図１７】図１の組立ハウスの屋根の排水構造を示す側面方向から見た断面図である。
【図１８】本発明の第２の実施形態の組立ハウスに斜視図である。
【図１９】図１８の組立ハウスの屋根と主柱との組付状態を示す正面図（全面側のパネルを省略）である。
【図２０】本発明の第３の実施形態の組立ハウスの斜視図である。
【図２１】図２０の組立ハウスの平面方向から見た断面図である。
【図２２】図２０の組立ハウスの側面図である。
【図２３】図２２の組立ハウスの壁の上壁の正面図（組立ハウスからみた場合は側面図）である。
【図２４】図２２の組立ハウスの壁の下壁の正面図（組立ハウスからみた場合は側面図）である。
【図２５】図２０の組立ハウスの主柱を説明するための図である。
【図２６】図２０の組立ハウスの中間支柱を説明するための側面図である。
【図２７】本発明の第４の実施形態の組立ハウスの斜視図である。
【図２８】本発明の第３の実施形態の壁部材の変形例であって、壁の上壁と下壁とを一体にした例の正面図である（組立ハウスからみた場合は側面図）。
【図２９】床板をフレームに取付ける場合の変形例の側面方向から見た断面図である。
【発明を実施するための形態】
【０００８】
以下、本発明の実施形態における組立ハウスについて図面を参照しながら説明する。
図１は、本発明の第１の実施形態による組立ハウスの斜視図、図２はその組立ハウスの一部破断斜視図、図３は組立ハウスの一部が破断された分解斜視図である。
なお、図１中の組立ハウスのドアがある面を組立ハウスの前側とし、その反対側を後側とし（この前後方向を縦方向ともいう）、前後方向に対して水平方向に交差する方向を横方向とする。ただし、左右については組立ハウスの外側から各壁の正面に向かって見た状態で左側にある側を左側、右側にある側を右側とする。
組立ハウス１は、土台となるベース２と四方の壁部材３、該壁部材３の各壁を支持する４隅（角）の主柱４（４つの支柱を総称して符号４を付す）、主柱４の間に配設され同じく壁部材３の各壁を支持する中間支柱５（２つの中間支柱を総称して符号５を付す）、これらの主柱４及び中間支柱５に載置され固定される屋根６とを備えている。
【０００９】
図４及び図５を参照にしてベース２は、フレーム７と床板８とを備えている。フレーム７は、外形が矩形の外枠７ａと、該外枠７ａ間を組立ハウス１の前後方向に延び、かつ横方向に平行に並設された縦枠７ｂとで形成されている。５本の縦枠７ｂのうち中央の縦枠は他の縦枠よりも剛性の大きなものであり、縦枠７ｂのそれぞれが適度な間隔を空けて外枠７ａ間に設けられている。
外枠７ａは、剛性を有する金属製であり図６のＡに示すように、断面がコ字形状のＣ鋼材が使用され、開口が内（室内）側に向くように配設されている。主柱４が立設される外枠７ａの４隅と、中間支柱５が立設される左右方向中央には、補強金具である三角板（形状は直角三角形）１０が溶接によって外枠７ａに固定されている。三角板１０は、主柱４が配設される箇所では、外枠７ａの角部に直角の部分が対応して位置するようにし、断面コ字形状である外枠７ａの上側内周面に溶接で固定されている。また、主柱４及び中間支柱５が立設される箇所には、外枠７ａの内周形状に一致する矩形の四角板１１が溶接で固定され、それぞれの取付箇所が補強されている。
【００１０】
図７〜図１０を参照にして、主柱４はフレーム７の４隅に立設され、本体部１４と上下ボルト１６，１７から構成されている。主柱４が壁部材３と向かい合う側面には台形のほぞ孔（蟻溝とも呼ばれる）１２が本体部１４の側部を上下方向に貫通するように形成されている。ほぞ孔１２は、溝の底部と反対側の開口端側が溝の底部よりも狭くなっている。
中間支柱５は、組立ハウス１の前後の主柱４の左右中間位置に配置され、主柱４と同様に中間支柱５は本体部１５と上下ボルト１６，１７（主柱４のものと同じであるので同じ符号を付す）から構成されている。中間支柱５が壁部材３と向かい合う面にはほぞ孔１２（主柱４のものと同じ形状であるので同じ符号を付す）が本体部１５の側部を上下方向に貫通するように形成されている。主柱４については、上下ボルト１６，１７は本体部１４のやや隅より（図２５参照）に設けられ、中間支柱５については本体部１５の中心位置（図２６参照）に設けられている。主柱４と中間支柱５の材質は木材、金属であってもよいが、剛性があり軽量であることからアルミニウムなどが好ましい。
【００１１】
上下ボルト１６，１７にはこれらのボルト軸１６の端部に取付板１６ａ，１７ａが固定され、取付板１６ａ，１７ａを本体部１４，１５の上下端面に当てて、ビス１９によって固定されている（図１０）。
本実施形態において、上ボルト１６は、主柱４と中間支柱５の配設される取付状態に応じて多少長さが変更されており、これ以外は、全ての主柱４が同じ形状であり、その向きを適宜９０度毎に変えて４隅に配設される。中間支柱５も上ボルト１６を除いて同じ形状である。
主柱４及び中間支柱５は、フレーム７に形成された取付孔２０（本実施形態では６箇所）に下ボルト１７を差し込みワッシャを介してナット１８によってフレーム７に固定される。フレーム７に床板８を取付ける前に主柱４及び中間支柱５を取付けるような場合は、断面コ字形状のフレーム７の開口２１が室内側に向いているので、容易にボルト、ナットを室内側から締結し、それらを立設できる。
【００１２】
図１１〜図１３を参照にして、壁部材３は、各構成壁が主柱４と主柱４との間、若しくは主柱４と中間支柱５との間に、本実施形態では６枚が配設され、図１１に示す壁のみ（ドアや窓がない）で形成される平板形状の板壁３ａ（図２参照）、図１２に示す片開きドア２４を備えたドア付壁３ｂ、スライド窓２５を備えた窓付壁３ｃ、図１３に示す換気孔２６を備えた換気孔付壁３ｄなどがある。
これらの壁３ａ〜３ｄは、高さと、左右横方向の長さが同じであり、図１１の板壁３ａに示すように上下枠２９ａ，２９ｂと左右の側枠２９ｃ，２９ｄとからなる枠本体２９から構成されている。そして、左右側枠２９ｃ，２９ｄには支柱４及び中間支柱５のほぞ孔１２の溝形状に一致するほぞ（突部）１３が左右方向に突出し、上下方向に延びている（図９も参照）。ほぞ１３は、左右方向の先端部がほぞ孔１２の底部の幅に一致し、基端側がほぞ孔１２の開口幅にほぼ等しくなるように形成されている。したがって、ほぞ孔１２とほぞ１３を上下方向からスライドさせて組み込むことにより（図９を参照）、主柱４や中間支柱５と壁部材３を連結させることができ、壁部材３の左右方向からは抜けない構造になっている。このほぞ１３の形状は、ドア付壁３ｂ、窓付壁３ｃ（図１２）、換気付壁３ｄ（図１３）なども同じであり、組立ハウス１の壁部材３として適宜配置変えして使用が可能である。
【００１３】
なお、板壁３ａには、水平方向に配置される３本の水平桟２９ｅが左右方向に設けられ、壁面は板材３０で覆われている。上下枠２９ａ，２９ｂと左右側枠２９ｃ，２９ｄとの連結、及び水平桟２９ｅと左右側枠２９ｃ，２９ｄとの連結は、ほぞ孔とほぞの組み合わせによって接続されている。
その他、ドア付壁３ｂを例にあげると、図１４のＡに示すように、水平桟の代わりにドア枠の一部となる縦桟２９ｆが上下に設けられ、図１４のＢに示すように、片開きドア２４を配設できる。また、図１４のＣは、桟を省略して枠本体２９のみで形成され、図１４のＤに示すスライドドア２４ａや、図１４のＥに示すような観音開きドア２４ｂなどにも適用される。
【００１４】
図１５〜図１７は、組立ハウス１の屋根６を示す。
屋根６は、上下方向における断面がコ字形状で外形が四角形の矩形外枠３３、該矩形外枠３３の間を前後に延びる断面が四角形状の縦枠３４、同じく矩形外枠３３の間を横方向に延びる断面が横枠３５によって屋根フレーム３２が形成されている。屋根フレーム３２の大きさは、ベース２よりも大きく、屋根フレーム３２の下部にはシーリング部材３７が全体に渡って配設され、縦枠３４及び横枠３５の上面には波形の金属シート３８が配設されている。
【００１５】
図１６のＡを参照にして、３本が配設されている横枠３５は、高さの異なる３種の横枠３５ａ〜３５ｂで構成され、前側に位置する横枠３５ａの高さが大きく後側の横枠３５ｂ、横枠３５ｃの順に高さが小さくなる。よって、横枠３５上に取付けられている金属シート３８は前側から後側に向かって低くなるよう傾斜して配設される。
縦枠３４と横枠３５ａ，３５ｃが交差する縦枠３４の位置には取付孔３６が形成され、取付孔３６には、主柱４及び中間支柱５の上ボルト１６の軸部が貫通し、ナット１８によって、主柱４及び中間支柱５に屋根６が固定される。
金属シート３８は、前端側が矩形外枠３３まで延在するとともに、矩形外枠３３の内面に横方向に配設されかつ固定されているＬ金具３９の上部に載置されるようにして設けられている。金属シート３８の後端側は、矩形外枠３３の後端面とは間隔を空けて設けられ、金属シート３８の後端下方には雨樋４０が配設されている。雨樋４０は、矩形外枠３３の後端側内面に沿って横方向に配設されている。雨樋４０の横方向端部には排水口４１が設けられている。
【００１６】
次に、組立ハウス１の取付手順の一例を説明する。
組立ハウス１を組み付けるには、以下のものを準備する。
ベース２については、フレーム７に床板８をビスなどで固定して完成させる。壁部材３については、板壁３ａ（図２参照）を３枚、ドア付壁３ｂ、窓付壁３ｃ（図１２参照）、換気孔付壁３ｄ（図１３参照）を各１枚準備する。主柱４については４本、中間支柱５について２本が準備される。屋根６については完成した状態にしておく。これらの構成部材は分離された状態で、車両で容易に搬送可能である。
【００１７】
組立ハウス１の組み付けは、先ず、ベース２を地上に置き、主柱４及び中間支柱５の下ボルト１７をベース２のフレーム７に形成した取付孔２０に差し込みナット１８で締結させて、主柱４及び中間支柱５をフレーム７の上に垂直に立設させる。フレーム７に床板８を固定させた状態では、下ボルト１７は隠れた状態になるので、ベース２をジャッキなどで持ち上げて行えばよい。
なお、床板８を後付けにする場合は、下ボルト１７は見える位置にあるので、ジャッキなどが必要なく、取付部が開かれているので、下ボルト１７のボルト軸にナット１８をそのまま締結でき、その後床板８をフレーム７に固定してもよい。なお、本実施形態では、床板８を２枚使用し、床板８の角部には、主柱４又は中間支柱５の逃げ部８ａが形成され（図３）、主柱４及び中間支柱５を先に取付けた状態で、床板８をフレーム７に取付けることができる。
【００１８】
主柱４及び中間支柱５を立設させた後は、壁部材３を組み付ける。壁部材３については、板壁３ａ、ドア付壁３ｂ、窓付壁３ｃ及び換気孔付壁３ｄを各間取り位置に対応させて組み込む。各壁３ａ〜３ｄの組み付け方は、主柱４及び中間支柱５の上方に各壁３ａ〜３ｄを持ち上げて、主柱４及び中間支柱５のほぞ孔１２の上端に各壁３ａ〜３ｄの左右に形成されているほぞ１３の下端を合わせて、ほぞ孔１２にほぞ１３を差し込む。そして、各壁３ａ〜３ｄを主柱４の間、若しくは主柱４と中間支柱５との間において、上方から下方向にスライドさせてそれらの間に各壁３ａ〜３ｄを組み込む。
なお、先に前側の主柱４と中間支柱５との間にドア付壁３ｂを組み込み、中間支柱５と主柱４との間に窓付壁３ｃを組み込んだまま（後壁の壁３ａも同様）、主柱４及び中間支柱５に組み込んだ壁３ｂ，３ｃを一体にした状態でフレーム７に最初に取付け、後から組立ハウス１の左右両側にある壁３ａ，３ｄを上方からスライドさせて組み付けてもよい。
【００１９】
こうして主柱４及び中間部材５と壁３ａ〜３ｄの組み付けが終了した状態では、ほぞ孔１２とほぞ１３との組み付けであるので、壁３ａ〜３ｄは横方向に外れることなく、しかもしっかりと組み付けられた状態になる。
屋根６の組み付けについては、屋根６を人手若しくはクレーンなどで持ち上げ、縦枠３４を主柱４及び中間支柱５の本体部１４，１５に載置させるため、それらの上ボルト１６のボルト軸に取付孔３６の位置に合わせ、ボルト軸を取付孔３６に貫通させる。次いで、ナット１８を締結させて、主柱４及び中間支柱５に屋根６が主柱４及び中間支柱５に固定される。屋根６の上からナット１８を容易に締結できる。
本実施形態では、このように組立ハウス１を短時間で容易に組み立てることができる。上述したように、特に、予めベース２と屋根６を組み付けた状態にしておけば、最低でボルトナットの１２箇所の締結によって、組立ハウス１を組み付けることができる。
また、壁部材３については、全ての壁３ａ〜３ｄの外形サイズが同じであるので、適宜ドア位置、窓位置の間取りの変更が可能である。
本実施形態の組立ハウス１は、事務所や簡易宿泊所などの用途に使用でき、さらに、組立ハウスの前後及び／又は左右に、ベースや屋根を壁３ａ〜３ｄの１つ分以上毎に延ばし、主柱４や壁３ａ〜３ｄを継ぎ足すことによって、上記手順によって、より大型の組立ハウスを形成できる。
【００２０】
次に、本発明の第２の実施形態の組立ハウスについて図面を参照して説明する。なお、上記第１の実施形態と同一部分については、同様の符号を付して説明する。
図１８及び図１９を参照にして、組立ハウス１０１は、ベース１０２と、主柱４と、壁部材１０３と、屋根１０６からなる。ベース１０２は、各壁３ａ〜３ｄの１枚分の左右幅に対応したものであり。主柱４は、４本が用いられ、上記実施形態と同じものが使用でき、中間支柱５は使用されていない。壁部材１０３の四面は、板壁３ａ（図示せず、図２、図１１などを参照）、ドア付壁３ｂ、窓付壁３ｃ、換気孔付壁４ｃ（図示せず、図１参照）とから構成されている。ベース１０２、壁部材１０３、主柱４の組付手順は、上記第１の実施形態と同じであり、正方形のベース（フレーム）１０２の４隅に主柱４を立設させて、ほぞ孔１２に壁３ａ〜３ｄのほぞ１３を組み付けて行う。
【００２１】
本実施形態では、主柱４の上ボルトは、屋根１０６を貫通することなく、屋根１０６の下部を構成し、横方向に配設されている屋根フレーム１３２を主柱４の本体部１４の上端面に載置させ、屋根フレーム１３２に形成された取付孔１３６も上ボルト１６のボルト軸を貫通させナットによって、屋根１０６を主柱４に固定する。室内側でナットによって固定される。屋根フレーム１３２の取付孔１３６を貫通する上ボルト１６のボルト軸は、開かれた場所にあるので、容易にナットを螺着できる。
本実施形態では、ポリスボックスや監視所などの用途に使用できる。
【００２２】
次に、本発明の第３の実施形態の組立ハウスについて図面を参照して説明する。なお、上記第１の実施形態と同一部分については、同様の符号を付して説明する。
図２０に示す組立ハウス５１は、ベース２と屋根６が上記第１の実施形態と共通なものを使用し、壁部材３の一部と、主柱４及び中間支柱５の一部が上記第１の実施形態と異なっている。
すなわち、図２１を参照にして、四方の壁部材５３のうち、後左側の板壁３ａ、後右側に換気孔付壁３ｄ、右側側面のドア付壁３ｂは、上記第１の実施形態の各壁３ａ，３ｂ，３ｄと同じであり、前側の左右一対の壁５３ａ，５３ｂと左側側面の壁５３ｃが同じ形状である。
図２２〜図２４を参照にして、左側側面の壁５３ａについて説明すると、各壁５３ａは、上側の上壁５７と該上壁５７の下部に配設される下壁５９とから構成され、これらは一体構造ではなく、２つに分離されている。
【００２３】
上壁５７は、上枠６１とを開閉窓５８と備え、上枠６１は、一方向に長い形状であり、その左右方向に向けて配設され、その両側端には上記第１の実施形態で示したほぞ孔１２に組み込み可能であって、第１の実施形態で示したものと同じほぞ１３（長さは短い）が上下方向に形成されている。
上枠６１の下部には、複数の蝶番６２によって、開閉窓５８が回動可能に連結されている。開閉窓５８の閉時には、先端側が下側に向けられ、横方向に一直線上に配置される蝶番６２の軸を回転軸として、先端側が上方に前開きに回動が可能である。開閉窓５８の左右幅は、上枠６１の左右幅よりもやや小さく形成されており、両側面にはほぞは形成されていない。開閉窓５８の一側部の中間位置にはピン６３が取付けられ、後述する主柱５４ａに取付けられたピン６４との間に連結ロッド６５を架け渡すことにより、開閉窓５８は先端側が持ち上げられて開状態に維持することができる。また、連結ロッド６５を外すことによって、開閉窓５８は、自重で閉じ状態になる。
【００２４】
下壁５９は上側の開閉テーブル６０と、該開閉テーブル６０の下側に配設される支持壁６７とを備えている。支持壁６７は、左右両側部に上記第１の実施形態で示したほぞ孔１２に組み込み可能であって、第１の実施形態で示したものと同じほぞ１３が、上下方向に形成されている。
支持壁６７の上部では開閉テーブル６０が複数の蝶番６２を介して回動自在に連結されている。開閉テーブル６０の閉時には、開閉テーブル６０の先端は上方へ向けられ、開閉テーブル６０は横方向に一直線上に配置される蝶番６２の軸を回転軸として、先端が下方へ前開きに回動が可能である。開閉テーブル６０の左右幅は、支持壁６７の左右幅よりもやや小さく形成されており、側面にはほぞは形成されていない。
支持壁６７の上端側には支持金具６９が蝶番７０を介して取付けられ、蝶番７０の回転軸は上下方向に向けられ、支持金具６９は水平方向に回動が可能であり、支持壁６７の面に対して直角方向に向けることによって、開閉テーブル６０の壁面（内面）を水平方向に支持することができる。開閉テーブル６０が閉時においては、支持壁６７の面と平行に向けて折り畳みが可能に形成されている。
【００２５】
図２１を参照にして、４隅に設けられている主柱５４（主柱４，５４ａ〜５４ｃを総称する）のうち、後右側に隅に設けられている主柱４は、上記第１の実施形態の主柱と同じであり、前側の左右主柱５４ａ，５４ｂと、後左側に設けられている主柱５４ｃは、主柱４と形状が異なっている。
図２５を参照にして、主柱５４は、上下方向の中間位置に、開閉窓５８と開閉テーブル６０の各々の側部を収容する収容溝７３を形成している。各主柱５４ａ〜５４ｃの収容溝７３を除く収容溝７３よりも上側と下側は、図２５に示す５４ａ〜５４ｃの断面ＡＬＬに示すように、直角に隣り合う壁のほぞを受け入れるほぞ孔１２が形成されている。
【００２６】
これらの主柱５４ａ〜５４ｃは、各々形状が異なり、収容溝７３が形成されている高さと同じ範囲Ｈにおける横断面形状が異なる。すなわち、主柱５４ａの範囲Ｈの領域では、断面ＦＬに示すように、壁５３ａ及び壁５３ｃの各上下壁５７，５９の側部を収容する収容溝７３を形成し、一対のほぞ孔１２に対応する部分は削除され、収容溝７３が形成されている。
主柱５４ｂの範囲Ｈの領域では、断面ＦＲに示すように、壁５３ｂの上下壁５７，５９の側部を収容する収容溝７３を形成し、ほぞ孔１２に対応する部分は削除され、収容溝７３が形成されている。したがって、収容溝７３はほぞ孔１２の非形成領域となる。一方、組立ハウス５１の右側面の壁３ｂ（図２１参照）のほぞ１３が組み込まれるほぞ孔１２は、主柱５４ｂの本体７１を貫通するように、上下方向の全体に形成されている。
主柱５４ｃ範囲Ｈの領域では、断面ＢＬに示すように、壁５３ｃの上下壁５７，５９の側部に形成されたほぞ１３を収容する収容溝７３を形成し、ほぞ孔１２に対応する部分は削除され収容溝７３が形成され、一方、主柱５４ｃには、組立ハウス５１の後左面の壁３ａ（図２１参照）のほぞ１３が組み込まれるほぞ孔１２が上下に主柱５４ｃの本体７１を貫通するように、上下方向の全体に形成されている。
【００２７】
図２６を参照にして、組立ハウス５１の前後壁における左右中央に設けられている中間支柱５，５５のうち、後側中央に設けられている中間支柱５は、上記第１の実施形態の中間支柱５と形状が同じであり、前側中央の中間支柱５５は中間支柱５と形状が異なっている。中間支柱５に対して、中間支柱５５の形状が異なるのは、収容溝７３が形成されている高さと同じ範囲Ｈ（図２５に示す主柱５４のＨと同じ高さ）における横断面形状が異なる。
すなわち、中間支柱５５は、上下方向の中間位置に、開閉窓５８と開閉テーブル６０の各々の側部を収容する収容溝７３を左右に形成している。中間支柱５５の収容溝７３を除く収容溝７３よりも上側と下側は、図２６に示す中間支柱５５ａの断面ＡＬＬに示すように、左右両側にほぞ孔１２を形成し、左右に隣り合う壁５３ａ，５３ｂのほぞを受け入れるほぞ孔１２が形成されている。その一方、範囲Ｈでは、図２６の断面ＬＣＲに示すように、一対の左右のほぞ孔１２に対応する部分は削除され、上述の収容溝７３が形成されている。
【００２８】
例えば、レイアウトを変更するような場合において、図２０を参照にして、組立ハウス５１の前左側の壁５３ａを図１１に示す板壁３ａに変更するときは、図２６の断面ＣＲに示すように、左方にほぞ孔１２が形成され右方に収容溝７３が形成されたものを使用する。この場合は、図２０の主柱５４ａは、主柱５４ｂと（図２５の断面ＦＲ）同じものに変更される。
また、図２０に示す状態から、組立ハウス５１の前右側の壁５３ｂを板壁３ａに変更するときは、図２６の断面ＣＬに示すように、右方にほぞ孔１２が形成され左方に収容溝７３が形成されたものを使用する。この場合は、図２０の主柱５４ａは、主柱４と同じものに変更される。
【００２９】
組立ハウス５１を組み付けるときは、上記第１の実施形態と同じ手順で組み付けが可能であるが、壁５３ａ〜壁５３ｃを、主柱５４、中間支柱５５に組み付けるときが異なっている。主柱５４及び中間支柱５５について、これらに形成されているほぞ孔１２に下壁５９のほぞ１３を組付け、先に下壁５９をそれらの間に組み付ける。上壁５７については、上枠６１にほぞ１３が形成されているが、ほぞ１３をほぞ孔１２に組み付けることによって、上壁５７の左右方向の移動については規制できるが、上下方向については、上壁５７と下壁５９とは別体であるので規制されない。
よって、図２５に示すように、上壁５７の固定手段として、下壁５９をほぞ孔１２に組み付けた後に、Ｌ形状のストッパ金具７４を支柱５４及び中間支柱５５の収容溝７３の上部でほぞ孔１２が形成されている部分の下部に取付け、ストッパ金具７４によって、上壁５７の上枠６１の底面を載置させ、上壁５７を支持する。
これ以外の取付けについては、上記第１の実施形態と同じである。
このような、組立ハウス５１は、開閉テーブル６０があり、店舗として使用できる。
【００３０】
次に、本発明の第４の実施形態の組立ハウスについて図面を参照して説明する。なお、上記第１〜３の実施形態と同じ部分については、同様の符号を付して説明する。
図２７を参照にして、組立ハウス２０１は、上記第３の実施形態の店舗タイプの組立ハウス５１を、第２の実施形態の小型ハウスに適用したものである。
ベース１０２と、屋根１０６については、上記第２の実施形態と同じであり、主柱５４ａ，５４ｂ，５４ｃについては、上記第３の実施形態の主柱に用いたのと同じであり、壁部材については、第１の実施形態で用いた壁３ｂと同じであり、壁５３ａ〜壁５３ｃについては、上記第３の実施形態で用いた壁５３ａ〜壁５３ｃを同じものを使用している。
本実施形態では、上記第１〜第３の実施形態に用いたものによって、レイアウトの異なる組立ハウス２０１を組み立てることができ、汎用性を有するのが分かる。
【００３１】
本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記第３及び第４の実施形態では、図２０に示すように、壁５３ａ〜５３ｃについて、上壁５７と下壁５９とを別体に形成したが、図２８に示すように、上壁５７の上枠と下壁５９の支持壁６７とを左右の側枠７５で一体に連結して形成することも可能である。この場合は、側壁７５の左右側面の上下全体にわたってほぞ１３を形成する。そして、図２０に示す主柱５４ａ〜５４ｃを図７に示す主柱４と交換し、中間支柱５５を図８に示す中間支柱に交換する。こうすることによって、上述のストッパ金具７４（図２４参照）は不要になる。ただし、上記第３の実施形態のように、上下壁５７，５９を別体にした方が、開口部分が大きくなり、開放感が広がり開閉テーブル６０の横幅も広くなる。
また、上記各実施形態では、図３に示すように、床板８の隅に逃げ部８を形成して、主柱４や中間支柱５を立設させた後にも、床板８をフレーム７に配設できるようにした。しかしながら、床板８をフレーム７に先付けして組み付ける場合は、図２９に示すように、壁部材３ａ〜３ｄの下部に切欠き７６を形成し、切欠き７６に床板８の側縁部を差し込んでもよい。
さらに、上記実施形態では、各組立ハウスは平面視で矩形に形成したが、例えばＬ字形や凹形状、クランク形状などの他の形状にも対応が可能である。
【符号の説明】
【００３２】
５１，１０１，２０１  組立ハウス
１０２  ベース
５３  壁部材
３ａ  板壁
３ｂ  ドア付壁
３ｃ  窓付壁
３ｄ  換気孔付き壁
４，５４  主柱
５，５５  中間支柱
６，１０６  屋根
７  フレーム
８  床板
１２  ほぞ孔
１３  ほぞ
１６  上ボルト（屋根取付ボルト）
１７  下ボルト（ベース取付ボルト）
２０  取付孔
２４  ドア
２５  窓
２６  換気孔
５７  上壁
５８  開閉窓
５９  下壁
６０  開閉テーブル
７３  収容溝（ほぞ孔の非形成領域）
７４  ストッパ金具
【図１】
2015101896.tif 000003
【図２】
2015101896.tif 000004
【図３】
2015101896.tif 000005
【図４】
2015101896.tif 000006
【図５】
2015101896.tif 000007
【図６】
2015101896.tif 000008
【図７】
2015101896.tif 000009
【図８】
2015101896.tif 000010
【図９】
2015101896.tif 000011
【図１０】
2015101896.tif 000012
【図１１】
2015101896.tif 000013
【図１２】
2015101896.tif 000014
【図１３】
2015101896.tif 000015
【図１４】
2015101896.tif 000016
【図１５】
2015101896.tif 000017
【図１６】
2015101896.tif 000018
【図１７】
2015101896.tif 000019
【図１８】
2015101896.tif 000020
【図１９】
2015101896.tif 000021
【図２０】
2015101896.tif 000022
【図２１】
2015101896.tif 000023
【図２２】
2015101896.tif 000024
【図２３】
2015101896.tif 000025
【図２４】
2015101896.tif 000026
【図２５】
2015101896.tif 000027
【図２６】
2015101896.tif 000028
【図２７】
2015101896.tif 000029
【図２８】
2015101896.tif 000030
【図２９】
2015101896.tif 000031